(57)【要約】   複数のレンズアセンブリのいずれかと取り外し可能な係合に配置可能なフレームを有するアイウェア装置。各レンズアセンブリは、フレームの本体に形成されたそれぞれのショルダースロット内でスライド可能に係合する、対向する端部にショルダーを備える。片方または両方のショルダースロット内に延在する部分を有する付勢されたボールは、それぞれのショルダーに垂下するボール空洞部に付勢して接触し、レンズアセンブリを取り外し可能な係合状態に維持する。【選択図】      図１
2021500635.tif 000002
【特許請求の範囲】
【請求項１】
アイウェア装置であって、
フレームであって、このフレームの第１の端部と第２の端部との間に延在する本体を有する、フレームと、
前記フレームの前記第１の端部で回転係合された第１のテンプルと、前記フレームの前記第２の端部で回転係合された第２のテンプルと、
第２の側面に対抗する第１の側面を有し、これらの間に２つのレンズ部分を有する、レンズアセンブリと、
前記レンズアセンブリの前記第１の側面に隣接する位置で前記レンズアセンブリと係合する、第１のショルダーと、
前記レンズアセンブリの前記第２の側面に隣接する位置で前記レンズアセンブリと係合する、第２のショルダーと、
を有し、
前記レンズアセンブリは、前記第１ショルダーが前記フレームの前記本体に垂下する第１ショルダースロット内に配置され、前記第２ショルダーが前記フレームの前記本体に垂下する第２ショルダースロット内に配置され、前記２つのレンズ部分の縁部が前記第一の端部と前記第２の端部の間の前記前記フレームの前記本体の中央部分に対して接触して、前記フレームとの取り外し可能な係合状態に配置可能である、アイウェア装置。
【請求項２】
請求項１記載のアイウェア装置において、さらに
前記フレームの前記本体のボール空洞内に配置された少なくとも１つのボールであって、前記ボールは、前記第１のショルダースロット内に前記ボールの突出部分を配置するように付勢されている、少なくとも１つのボールを有し、
前記突出部分は、前記レンズアセンブリが前記フレームとの前記取り外し可能な係合状態にある間、前記第１のショルダーに形成された第１のボール凹部内に付勢されて位置するものである、前記突出部分と、
を有するものである、アイウェア装置。
【請求項３】
請求項２記載のアイウェア装置において、さらに
前記フレームの前記本体の第２のボール空洞内に配置された第２のボールを有し、
前記第２のボールは、前記第２のショルダースロット内に前記第２のボールの突出部分を配置するように付勢されており、
前記レンズアセンブリが前記フレームとの前記取り外し可能な係合状態にある間、前記第２のボールの前記突出部分は、前記第２のショルダーに形成された第２のボール凹部内に付勢されて位置するものである、アイウェア装置。
【請求項４】
請求項１記載のアイウェア装置において、さらに
前記２つのレンズ部分の第１の端部に係合された接続部材を有する前記レンズアセンブリと、
前記２つのレンズ部分の間で前記接続部材から延びるポストと、
前記フレームの前記本体に垂下するポストスロットと、
を有し、
前記レンズアセンブリが前記フレームとの取り外し可能な係合状態にある間に前記ポストは前記ポストスロット内に位置するものである、アイウェア装置
【請求項５】
請求項２記載のアイウェア装置において、さらに
前記２つのレンズ部分の第１の端部に係合された接続部材を有する前記レンズアセンブリと、
前記２つのレンズ部分の間で前記接続部材から延びるポストと、
前記フレームの前記本体に垂下するポストスロットと、を有し
前記レンズアセンブリが前記フレームとの取り外し可能な係合状態にある間に
前記ポストは、前記ポストスロット内に位置するものである、アイウェア装置。
【請求項６】
請求項３記載のアイウェア装置において、さらに
前記２つのレンズ部分の第１の端部に係合された接続部材を有する前記レンズアセンブリと、
前記２つのレンズ部分の間で前記接続部材から延びるポストと、
前記フレームの前記本体に垂下するポストスロットと、を有し
前記レンズアセンブリが前記フレームとの取り外し可能な係合状態にある間に
前記ポストは、前記ポストスロット内に位置するものである、アイウェア装置。
【請求項７】
請求項４記載のアイウェア装置において、さらに
前記フレームの前記本体の外面から前記ポストスロットと連通するウインドウ開口部と、
前記レンズアセンブリが前記フレームと前記取り外し可能な係合状態にある場合のみ前記ウインドウ開口部を通して見える前記ポストの端壁と、
を有するものである、アイウェア装置。
【請求項８】
請求項４記載のアイウェア装置において、さらに
前記フレームの前記本体の外面から前記ポストスロットと連通するウインドウ開口部と、
前記レンズアセンブリが前記フレームと前記取り外し可能な係合状態にある場合のみ前記ウインドウ開口部を通して見える前記ポストの端壁と、
を有するものである、アイウェア装置。
【請求項９】
請求項６記載のアイウェア装置において、さらに
前記フレームの前記本体の外面から前記ポストスロットと連通するウインドウ開口部と、
前記レンズアセンブリが前記フレームと前記取り外し可能な係合状態にある場合のみ前記ウインドウ開口部を通して見える前記ポストの端壁と、
を有するものである、アイウェア装置。
【請求項１０】
請求項４記載のアイウェア装置において、さらに
前記フレームの前記本体に垂下するスロット内で、前記フレームの前記本体の中央部分に接触する前記２つのレンズ部分の縁部分と、
をさらに有するものである、アイウェア装置。
【請求項１１】
請求項５記載のアイウェア装置において、さらに
前記フレームの前記本体に垂下するスロット内で、前記フレームの前記本体の中央部分に接触する前記２つのレンズ部分の縁部分と、
をさらに有するものである、アイウェア装置。
【請求項１２】
請求項６記載のアイウェア装置において、さらに
前記フレームの前記本体に垂下するスロット内で、前記フレームの前記本体の中央部分に接触する前記２つのレンズ部分の縁部分と、
をさらに有するものである、アイウェア装置。
【請求項１３】
請求項７記載のアイウェア装置において、さらに
前記フレームの前記本体に垂下するスロット内で、前記フレームの前記本体の中央部分に接触する前記２つのレンズ部分の縁部分と、
を有するものである、アイウェア装置。
【請求項１４】
請求項８記載のアイウェア装置において、さらに
前記フレームの前記本体に垂下するスロット内で、前記フレームの前記本体の中央部分に接触する前記２つのレンズ部分の縁部分と、
を有するものである、アイウェア装置。
【請求項１５】
請求項９記載のアイウェア装置において、さらに
前記フレームの前記本体に垂下するスロット内で、前記フレームの前記本体の中央部分に接触する前記２つのレンズ部分の縁部分と、
を有するものである、アイウェア装置。
【請求項１６】
請求項１記載のアイウェア装置において、
前記２つのレンズ部分がシールド内に形成されるものである、アイウェア装置。
【請求項１７】
請求項２記載のアイウェア装置において、
前記２つのレンズ部分がシールド内に形成されるものである、アイウェア装置。
【請求項１８】
請求項３記載のアイウェア装置において、
前記２つのレンズ部分がシールド内に形成されるものである、アイウェア装置。
【請求項１９】
請求項１６記載のアイウェア装置において、さらに
マーカーがその上に配置された前記第１のショルダーと、
前記フレームの前記本体を介して前記第１のショルダースロットに連通する開口と、を有し、
前記マーカーは、前記レンズアセンブリが前記取り外し可能な係合状態に配置されている場合にのみ、前記開口を通して見ることができるものである、アイウェア装置。
【請求項２０】
請求項１７記載のアイウェア装置において、さらに
マーカーがその上に配置された前記第１のショルダーと、
前記フレームの前記本体を介して前記第１のショルダースロットに連通する開口と、を有し、
前記マーカーは、前記レンズアセンブリが前記取り外し可能な係合状態に配置されている場合にのみ、前記開口を通して見ることができるものである、アイウェア装置。
【発明の詳細な説明】
【技術分野】
【０００１】
この出願は、２０１７年１０月１９日に出願された米国仮特許出願番号６２／５７４６５３、および２０１８年９月１２日に出願された米国仮特許出願番号６２／７３０１３５に優先権を主張し、ここで言及することにより本願明細書に一部とするものである。
【０００２】
本発明は概してアイウェアに関する。
【０００３】
より詳細には、本発明は、１つまたは複数のペアのレンズをユーザーがかけれるように構成され、それによりユーザーが眼鏡レンズを着用する目的または場所に適応できるアイウェアに関する。
【背景技術】
【０００４】
眼鏡は、従来、ユーザの目の前に配置するように構成された眼鏡フレームを採用しており、眼鏡フレームは、ユーザの耳の上部まで延びるテンプル（つる）を有している。フレームは、ブリッジ部分がユーザーの鼻の上にくるように配置され、耳にかける延長テンプルは、レンズの平面をユーザーが目で見るのに適した位置に維持する。
【０００５】
従来、ユーザーが着用するレンズの各ペアは、それが提供された眼鏡フレームと永久的に係合している。結果として、矯正レンズを着用するユーザーは、それぞれ異なるフレームを有する複数のメガネを用いて、使用目的、場所、および時刻に応じて異なるタイプのレンズを利用するものである。
【０００６】
日中の屋外での使用の場合、ユーザーは日光から目を保護し、明るい光の中で屋外で見ることをより快適にするために、色付きまたは偏光レンズのペアを持っている場合がある。ただし、ユーザーにとっては、そのようなレンズの色と遮光能力は１日の間に変化する可能性がある。たとえば、明るい日光の下では、より多くの日光に対して着色または遮る、より暗いレンズが必要になる場合がある。ただし、もっと遅い時間または夕暮れになると、明るい日光の下で快適だったレンズが、夕暮れや暗い場所でのユーザーの視界を遮る可能性がある。
【０００７】
夕方や屋内では、屋外で使用できる色付きまたは偏光レンズは、使用に適していない。  その結果、矯正レンズを使用しているユーザーは、夜の使用のため、または色付きレンズが視界を遮る可能性がある場所での使用のために、３つ目の眼鏡を収容する３つ目の眼鏡フレームを更に持っている場合がある。
【０００８】
ユーザーによっては、複数のフレームに取り付けられた眼鏡の複数ペアを保管、所持、使用することのコストと不便さが気にならないであろうが、さまざまな状況で適切なビジョンを提供するには、いずれにしても不便で面倒である。しかしながら、眼鏡フレームがカスタムメイドまたは高価なデザイナーフレームである場合、異なる光条件および場所に適した眼鏡を有するために複数の異なる高価なフレームを有しかつ使用することは、法外な費用になる。
【０００９】
本明細書のシステムは、レンズまたはシールドの１つまたは複数のペアを含むキットから、眼鏡レンズまたはシールドのペアを容易かつ迅速に係合および取外しするように構成された単一の眼鏡フレームを提供する。このシステムは、安価なフレーム、非常に高価なデザイナーフレーム、またはカスタムフィットフレームを持っているユーザーが選択した単一の眼鏡フレームを使用できるように特に適合しており、キットに含まれるレンズまたはシールドの複数のペアのいずれかを必要に応じて選択して使用できるものである。
【００１０】
眼鏡フレームおよびレンズなどに関する上述の関連技術の例およびそれらに関連する制限は、例示的であり、限定的ではなく、本明細書で説明および請求される眼鏡フレームシステムに対するいかなる限定を意味しないことに留意されたい。関連技術の様々な制限は、周知のものであり、あるいは以下の明細書および添付の図面を読んで理解すると、当業者には明らかになるであろう。
【００１１】
本発明の目的は、異なる光環境、矯正、安全、ファッション、場所のために構成された複数のそのようなレンズのペアからなる、任意のシールドまたはレンズのペアを、ユーザーが掛けれるように構成された個別の眼鏡フレームを提供することである。
【００１２】
本発明の別の目的は、ユーザが単一の眼鏡フレームを使用することによりコストを削減できるような眼鏡フレームシステムを提供することであり、そのような眼鏡フレームに複数の異なる矯正および光フィルタリングレンズのいずれかとの係合を選択できるものである。
【００１３】
本明細書の眼鏡フレームシステムのさらなる目的は、本明細書の以下の部分で明らかにされるが、本発明の概要および詳細な説明は、本発明を制限することなく本発明を完全に開示することを目的とする。
【発明の概要】
【発明が解決しようとする課題】
【００１４】
本発明は、ユーザが複数のシールドまたはレンズのペアを異なる条件および目的で使用することを望む場合に複数の眼鏡フレームを所有することを必要とする従来の眼鏡フレームの欠点およびジレンマを解決する装置および方法を提供する。  
【課題を解決するための手段】
【００１５】
本明細書で開示された装置は、いくつかの形態で示されるように、複数のペアの眼鏡レンズまたは２重レンズを形成するフレームの容易な係合、取外、および再係合のために構成される眼鏡フレームを提供する。このシステムにより、ユーザーは単一の眼鏡フレーム（高価なデザイナーフレームまたは個々の顔の作りに応じたカスタムメイドフレームでもよい）を持ち、それぞれが簡単かつ迅速にフレームに挿入できる複数の異なるレンズペアを含むキットのレンズのペアを使用可能にするものである。
【００１６】
眼鏡フレームは、それに係合するレンズの少なくとも１つの周縁に沿って機能的に係合するようにサイズ決めされた個々の開口部を有することを特徴とする。フレームが使用者の目の前の使用される位置にあり、各開口部がそれぞれのレンズまたはレンズ部分を保持している状態で、使用時の係合において、レンズの中心が使用者の目の瞳孔と実質的に位置合わせされる。
【００１７】
レンズフレーム本体の各レンズ開口部は、フレームのレンズ開口部の外周面の全体または一部に垂下しフレームの外周縁の周りに設けられた実質的にＵ字型の凹部または球溝と連通する。球溝は、球溝に挿入及び球溝から取外し可能なそれぞれのレンズの周辺縁の一部と機能可能に係合するような形状およびサイズである。レンズとその挿入体との係合からレンズを挿入及び取外しすることは、フレームの上端または下端に形成された開口部を介して行われる。
【００１８】
レンズは、片側または両側で接続部材と係合し、フレームの球溝または凹部とレンズの対向する端に摩擦係合するように構成されている。したがって、眼鏡フレームの開口部に挿入されたレンズは、各レンズの実質的に全周縁の周りで機能可能に係合される。レンズまたは接続部材の対向する両側に係合するショルダーは、眼鏡フレームに形成されたそれぞれのスロット内に機能可能に係合して、眼鏡フレームとの確実な取付を提供するように配置される。
【００１９】
装置の特に好ましい形態では、眼鏡フレームの両側に配置された付勢されたボールが連続的に付勢され、ボールがスロットに挿入された各のショルダーに形成された凹部内に付勢力下に係合する間に、それぞれの付勢されたボールの一部がスロット内に配置される。各ショルダー部分の各凹部内のボールのこの付勢された係合は、レンズをフレームとのしっかりした係合状態に維持するので好ましい。このしっかりとした付勢された係合は、アセンブルされたアイウェアがカバンや容器の中で激しく揺さぶられる場合や、他の急な動きの時にレンズや接続部材がフレームから外れるのを防ぐために重要である。
【００２０】
１つの形態では、両方のレンズの間の接続部材の中央部分から延びる突き出た中央ポストも提供される。この中央ポストは、レンズフレームに形成された中央空洞内に機能可能に係合する。フレームのノーズブリッジと連通する開口部は観察窓を形成し、中央空洞への突出ポストの適切な配置がレンズと接続部材の眼鏡フレームとの適切な係合を示すインジケータになる。
【００２１】
レンズは、好ましくは、レンズのキットとして提供され、キット中のレンズのペアまたはレンズの各ペアを形成する各シールドは、異なる光学的特性またはレンズ構成を有する。例えば、光学的特性は、着色の暗さ、着色の色、光学的矯正、偏光、金属反射表面、色および他の光学的特性を含み得る。異なるレンズ構成には、例えば、プラスチックレンズ、ガラスレンズ、安全レンズ、レーザーまたはフラッシュ保護レンズ、および他の構造および安全構成が含まれ得る。
【００２２】
使用において、ユーザは、接続部材および両方のレンズを眼鏡フレームとの係合から外すことにより、任意のフレームの任意のレンズ開口部に配置されたレンズを変更することができる。接続部材と係合する任意のレンズペアを選択し、レンズの外周縁をフレームの本体に垂下する球溝または凹部に係合させ、ショルダーをフレームの本体に垂下する適切な嵌合スロットに係合させることにより、眼鏡フレームに係合させることができる。そのように係合すると、各スロットに連通するボールは、ショルダーに垂下するそれぞれの凹部内で付勢された係合に取り外し可能に配置される。簡単な取り外しと再係合は、接続部材の中央領域を引っ張り、それにより、フレームの本体に垂下するスロットとショルダーとの摩擦係合、また該当する場合は、ボールと各ショルダーに形成された凹部との付勢された接触を克服して、達成される。
【００２３】
上記の説明に関して、本明細書に開示されるユーザ構成可能な眼鏡フレームの少なくとも１つの好ましい実施形態を詳細に説明する前に、本発明は、その用途において以下の説明または図面に示されている構造の詳細および装置の配置に限定されないことを理解されたい。本明細書で説明する開示されたアイウェアフレームおよびシステムは、他の実施形態が可能であり、本開示を読むと当業者に明らかになる様々な方法で実施および実行することができる。また、本明細書で使用される語法および用語は、説明を目的とするものであり、限定と見なされるべきではないことを理解されたい。
【００２４】
したがって、当業者は、この開示が基づく概念は、複数ペアのレンズと係合するように構成された他の眼鏡フレームの設計の基礎として、および本開示の装置のいくつかの目的を実行するための基礎として容易に利用され得ることを理解するであろう。したがって、本明細書の特許請求の範囲は、本発明の精神および範囲から逸脱しない限り、そのような同等の構成および方法論を含むものと見なされることが重要である。
【図面の簡単な説明】
【００２５】
本明細書に組み込まれ、本明細書の一部を形成する添付図面は、留め具の発明の実施形態および／または特徴の唯一または限定的な例ではないが、いくつかの例を示すものである。本明細書に開示される実施形態および図は、限定ではなく例示と見なされるべきであることが意図されている。
【図１】図１は、接続部材から延在する２つのレンズから形成されたレンズアセンブリを有する本明細書の眼鏡フレームの分解図を示すものであり、レンズアセンブリは、フレーム本体に形成された嵌合開口部内に挿入するために配置され、フレームの本体から延在するつるが示される。
【図２】図２は、レンズアセンブリが眼鏡フレームと機能可能に係合したアセンブル構成における図１の装置を示す。
【図３】図３は、図１の本明細書の装置の背面図を示し、フレームの開口部への挿入のために配置されたレンズアセンブリを示し、中央柱および接続部材の両側の２つのショルダーを示す。
【図４】図４は、本明細書のアイウェアの眼鏡フレームの底面斜視図を示し、レンズアセンブリの挿入ができる状態にあり、ノーズブリッジのポストスロットと連通する開口部またはウインドウを示し、スライド可能に配置された付勢されたボールの拡大図を示すものであるが、これは、フレーム本体部の両側に垂れ下がる２つの形状のショルダースロットの一方または両方に突き出るように付勢されたものである。
【図５】図５は、本願に含めるのが好ましい付勢されたボールアセンブリを示しており、アセンブリから延びる各ショルダーの側面に垂れ下がる、ボール凹部へのおよびボール凹部とのボールの付勢された接触を提供し、各ショルダーがフレームの両側に形成された各ショルダースロットに完全に挿入されるとボールと係合するように配置されるものである。
【図６】図６は、レンズアセンブリがフレームと機能可能に係合した図１の装置を示し、またフレーム本体における任意の観察スロットまたはウィンドウを示すものであるが、ショルダーを見て各ショルダースロットの適切な係合を確認できるようにするものである。
【図７】図７は、図６の装置と類似する図１の装置を示すもので、図１〜２の透明レンズおよび図６の着色レンズとは異なるシェーディング特性を有するレンズが示される。これにより、さまざまな用途や場所に対応するための、複数のレンズアセンブリのレンズ交換が可能であるという装置の有用性が示される。
【図８】図８は、図２の装置の正面図である。
【図９】図９は、図２の装置の背面図である。
【図１０】図１０は、図２の装置の１つの側面図であり、反対側の側面図はその鏡像である。
【図１１】図１１は、図２の装置の上面図である。
【図１２】図１２は、図１１の図とは反対側の図２の装置の底面図であり、眼鏡フレームのブリッジ領域と連通する拡大された観察窓も示している。
【図１３】図１３〜１４は、レンズアセンブリレンズがシールドとして形成され、そして２つの対向するショルダーがシールドの反対側から延びる、本明細書の装置の形態を示す。
【図１４】図１３〜１４は、レンズアセンブリレンズがシールドとして形成され、そして２つの対向するショルダーがシールドの反対側から延びる、本明細書の装置の形態を示す。
【図１５】図１５は、図１３にも示された本願の装置であり、図１４の構成要素から組み立てられたもので、その斜視側面図を示す。
【図１６】図１６は、図１３の装置の背面図を示す。
【図１７】図１７は、図１３の装置の１つの側面図を示し、反対側の側面図はその鏡像である。
【図１８】図１８は、図１３の装置の底面図を示す。
【図１９】図１９は、図１３の装置の上面図を示す。
【発明を実施するための形態】
【００２６】
本明細書で使用される、上、上向き、下、下向き、正面、背面、第１、第２、上、上部、下、下部、左、右などの方向に関する前置詞、そのような方法方向に配置された装置または描写を参照するその他の用語は、それらが図面に図示されるのを説明する際に、便宜上使用されている。そのような方向および位置に関する用語は、限定するためではなく、または本明細書の装置を特定の向きで使用または配置する必要があることを意味することを意図していない。
【００２７】
ここで図１〜１９の図面を参照すると、図１には、本明細書でフレーム１４と取り外し可能に係合するレンズ１２の光学特性の無制限の変更を可能にするように構成された完全にアセンブルされたモジュール式アイウェア装置１０が示される。２つのテンプル１６は、第１の端部でフレーム１４の両側で回転式に係合されているのが示される。  
図１にはまた、それぞれが第１の側で接続部材２０と係合するレンズ１２から形成される取り外し可能に係合可能なレンズアセンブリ１８が示されている。接続部材２０またはレンズ１２の両側の端部のいずれかから突き出て示されるのが、第１と第２のショルダー２２である。図１の装置の形態では、レンズアセンブリ１８は、レンズアセンブリ１８との係合を助ける中央に配置されたポスト２４を含んでもよい。
【００２８】
本明細書で言及される第１および第２のショルダー２２は、レンズアセンブリ１８の両端に配置され、レンズ１２または接続部材２０のいずれかに係合する。これらのショルダー２２は、確実な係合、またフレーム１４に対する位置にレジスターされた係合を形成することが特に好ましい。レンズアセンブリ１８の係合の間、第１および第２のショルダー２２は、それぞれがフレーム１４のそれぞれの反対側に垂下するショルダースロット２６と整列し、取り外し可能に係合する。
【００２９】
緊密な摩擦係合は、圧縮性材料でショルダー２２を形成すること、またはショルダースロット２６の寸法と同じまたはわずかに小さい大きさにすることによって達成されるが、そのようにレンズアセンブリ１８を製造した実験において係合および係合解除が容易ではなかった。そのため、ショルダー２２をそれぞれのショルダースロット２６に簡単に出入りする寸法に形成すると、より効果的に機能し、レンズアセンブリ１８が予期せずに外れる可能性は、ショルダー２２に形成されたボール凹部３０内に平行移動ボール３６を含めることにより解決できる。ポスト２４は、これが含まれる場合、フレーム１４の本体の中央部分に形成されたポストスロット２８内に取り外し可能に係合可能である。  
使用において、アセンブルされたレンズアセンブリ１８全体は、フレーム１４の本体１５の第１の側縁まで延びる開口部３２を通してフレーム１４の本体と係合可能である。アイウェア装置１０の好ましい形態では、特に確実な位置決めを提供し、移動中および風または空気がレンズ１２に衝突するときなどの使用中に維持するために、各レンズ１２の遠位または先端１３が、フレーム１４の第２の側縁にしっかりと係合するように位置づけられるが、好ましくはレンズスロット１７に垂下するように係合する。このレンズスロット１７は、第１の側縁の反対側でこれに対抗する第２の側縁に沿ってフレーム１４の本体１５に垂下し、その反対側にあるフレーム１４の本体１５の第１の側縁まで延びる開口部３２と整列する。
【００３０】
図２に示されているのは、図１の装置１０であり、アセンブルされた構成であり、レンズアセンブリ１８がアイウェアフレーム１４の本体１５と作用可能に係合している組み合せ済みの構成にある。線５−５は、第１と第２のショルダー２２と各ショルダースロット２６の図５に見られる断面図を示している。
【００３１】
このアセンブルされた形態では、装置１０は使用の準備ができているが、前述のように、処方レンズおよび／または偏光レンズおよび／または着色レンズ１２を有するレンズアセンブリ１８と一緒に構成されてもよい。そのようなレンズアセンブリ１８は、複数のそのようなレンズアセンブリ１８を有するキットで提供されてもよく、各レンズアセンブリ１８は、視力矯正および／または着色および／または偏光またはコーティングなどに関して異なる光学特性を有する１つまたは複数のレンズ１２を有する。
【００３２】
図３に示されるのは、図１の分解図における本明細書の装置１０の背面図である。図示されるように、レンズアセンブリ１８は、複数のレンズアセンブリ１８を含むキットから選択可能であり、フレーム１４と取り外し可能に係合するように配置される。図示されるように、このような係合は、フレーム１４の本体１５の一方の側縁から内側に垂下する開口部３２へのレンズアセンブリ１８の挿入によって達成される。また、図示されるように、安定性および強度のために中央支柱２４、ならびにアセンブリ１８の反対側の端に、第１および第２のショルダー２２が好ましい。上述のように、第１および第２のショルダー２２は、アセンブリ１８の２つのレンズ１２の対向側に配置され、図１４のように、あるいは図１に図示されるように接続部材２０の対向側と一緒にレンズ１２に係合可能である。
【００３３】
上述のように、このように構成されたレンズアセンブリ１８は、第１および第２のショルダー２２を、第１および第２のショルダースロット２６内でスライドするように整列した位置に配置するが、ポスト２４が含まれている場合は、ノーズブリッジの上のフレーム１４の本体１５の中央部分に垂下するポストスロット２８内に挿入するようにポスト２４を配置する。
【００３４】
図４には、図３等で示される選択されたレンズアセンブリ１８を挿入する準備ができているアイウェアフレーム１４の底面斜視図が示されている。また、フレーム１４のブリッジには、中央に配置されたポストスロット２８と連通するウインドウ開口部３４が示されているが、これは接続部材２０の中央領域から延びる中央ポスト２４のサイズおよび形状を規定する外面と形状が相補的な内部寸法を有するものである。これが提供される場合、ウインドウ開口部３４を通してポスト２４を見ることにより、ユーザがポストスロット２８内のポスト２４の適切な係合を確認することを可能にし、したがって、レンズアセンブリ１８がフレーム１４の本体１５と係合したことを確認することを可能にする。ポスト２４の先端を着色して、これがポストスロット２８の終端でフレーム１４の本体１５と接触したことを確認することを可能にする。このようにして、ユーザーは、本体１５の開口部３２へのレンズアセンブリ１８の完全な係合を確認することができる。
【００３５】
また、図４には、各ショルダースロット２６内に形成されたそれぞれのボール凹部３０内の位置に付勢された平行移動可能な付勢ボール３６の一部の拡大図が示されている。このボール３６による係合は、ショルダー２２がショルダースロット２６よりもわずかに小さい寸法にされ、それにより、それぞれのショルダースロット２６に容易に出入りすることを可能にすることが最も好ましく、これによりレンズアセンブリ１８とフレーム１４との係合および係合解除を容易にする。ボール３６は、フレーム１４の本体１５に配置されたボール空洞３５内でスライド可能または並進可能である。
【００３６】
付勢力下の各ボール３６の一部は、ばね３８または他の付勢構成要素から離れる方向にボール空洞３５内で並進し、それぞれのショルダースロット２６内に突出する。ボール３６の一部がショルダースロット２６の方向に付勢またそこに突き出ると、第１および第２ショルダー２２のそれぞれ１つの側面に形成された各ボール凹部３０内で係合する。１つのボール３６が一方のショルダー２２で１つのボール凹部３０に係合すると、係合したレンズアセンブリ１８を保持するための付勢接続を提供するが、各ショルダー２２でそれぞれのボール凹部３０に係合する２つのそのようなボール３６があるとより確実な係合を提供するので好ましい。
【００３７】
上述したように、各ボール凹部３０内へ並進及び付勢されたボール３６のこの付勢された配置は、レンズアセンブリ１８の鋭い動きなどによる意図しない離脱を防止する。したがって、この付勢されて平行移動するボール係合は確実な係合を提供するが、ユーザーが接続部材２０およびレンズアセンブリ１８を引っ張ることによって、ボール３６が傾斜面のようにボール凹部３０を画定する曲面をスライドして、ばねまたは他の付勢力に打ち勝って容易に外れる。したがって、フレーム１４から離れるようにレンズアセンブリ１８を単純に引くと、ボール３６との係合が取れ、ショルダースロット２６からショルダー２２が外れ、それにより、レンズアセンブリ１８がフレーム１４から外れる。ユーザーが利用できる複数のレンズアセンブリ１８の同じまたは異なるものと係合するには、この反対で達成できるが、レンズアセンブリ１８をフレーム１４に向けて押し、ショルダー２２がそれぞれのショルダースロット２６に係合した状態で、それぞれの湾曲した凹部３０がその中にバイアス係合するそれぞれのボール３６と位置合わせするまでボール３６はショルダースロット３６から出るように平行移動する。
【００３８】
上述のように、図５は、図２の線５−５に沿った断面図であり、各第１および第２のショルダー２２のボール凹部３０の湾曲した傾斜部内で付勢係合したボール３６を示し、フレーム１４の本体１５内に形成された各ショルダースロット２６内でスライド可能に係合する。前述のように、ばね３８などの付勢構成要素の力によって提供されるこの付勢された係合は、レンズアセンブリ１８をフレーム１４と作用可能に係合した状態に維持する。この係合は、ユーザーがレンズアセンブリ１８に十分な力を加えてボール３６に対する付勢力に打ち勝ち、ボール３６がボール凹部３０の表面に対してスライドし、そのような取外しの間に凹部３０から退避するまで維持される。
【００３９】
図６には、図２の装置１０を示すものであるが、レンズアセンブリ１８がフレーム１４と機能可能に係合し、フレーム１４の本体１５を介してショルダースロット２６に連通する任意のウインドウ開口部４０を示す。ウインドウ開口部４０はこれが提供される場合、フレーム１４の本体１５の一方の側に形成された開口部３２へレンズアセンブリ１８が適切に係合することを確認する手段を提供し、それによりショルダー２２がそれぞれのショルダースロット２６に完全かつ適切に係合していることを確認できる。図６に示すレンズ１２は着色されている。
【００４０】
図７に示されるのは、図２で示したような組み立て済みの装置であり、図６のものと同様のものである。図示されるように、レンズ１２は、図１〜２の透明レンズおよび図６の着色レンズ１２とは異なる遮光特性を有するが、これらのすべては、ユーザの複数のレンズアセンブリ１８に含まれてもよい。これは、装置１０によって提供される向上された利用性を示すものであり、これは、任意のレンズアセンブリ１８が内部係合する任意の着色、矯正、遮光、反射、または他のレンズ１２を有することの可能にし、それによって異なる使用及び場所に対応した光学レンズ１２の特性の変化を可能にする。
【００４１】
図８に示されているのは、図２に示されている装置の正面図であり、図９に示されている背面図の反対側である。図１０は、図２の装置１０の１つの側面図を示し、反対側の側面図はその鏡像である。
【００４２】
図１１は、図２のようにアセンブルされたアイウェア装置１０の上面図を示すもので、テンプル１６がフレーム１４との回転係合により開位置に回転されているのを示している。図２の装置の反対の底面図が図１２に示されるが、ここでは、アイウェアフレームのブリッジ領域と連通する開口部３４の拡大部も示される。開口部を通して適切に係合されたポスト２４を観察し、フレーム１４へのレンズアセンブリ１８の適切な係合を確認することができる。
【００４３】
図１３〜１４に描かれているのは、複数の単レンズ１２のレンズアセンブリ１８のいずれかをフレーム１４との取り外し可能な係合状態に係合可能に構成されたユーザーが構成可能なアイウェア装置１０の別の形態である。フレーム１４に垂下するショルダースロット２６に係合するショルダー２２は、図１〜１２の形態と同様に、単一のシールドレンズ１２として形成される、アセンブリ１８中のレンズ１２の隣接する両側に延びるように配置される。図１４に示すように構成されたレンズアセンブリ１８は、レンズ１２の対向する側に隣接して位置するショルダーを備え、フレーム１４との取り外し可能な係合を形成し、図１３のアセンブルされた装置１０を形成する。図１〜２に示されるこの取外し可能な係合において、レンズ１２の両側の位置に係合した第１および第２のショルダー２２は、フレーム１４の本体に垂下する、それぞれの相補的な形状のポストスロット２８にスライドする。
【００４４】
図１３〜１４に見られるように、ショルダー２２はそれぞれ、係合中に図５に示されるのと同じ方法で付勢されたボール３６によって係合されるボール凹部３０を画定する湾曲したくぼみを有する。これは、フレーム１４の本体１５に形成された各相補的形状のショルダースロット２６へのショルダー２２の容易なスライド係合を提供し、それと同時に、レンズアセンブリ１８の脱落に対するしっかりした取付けおよび抵抗を提供するものである。
【００４５】
図１４には、ショルダースロット２８と連通する開口部４４から見えるようになるショルダー２２の一方または両方に配置された取付マーカー４２も示されている。
【００４６】
この取付マーカー４２は、ショルダー２２がフレーム１４のそれぞれのショルダースロット２６内に完全かつ適切に係合されている場合にのみ、開口部４４を通して見ることができる。ショルダー２２がボール３６がボール凹部３０と係合する位置まで完全に挿入されない場合、取付マーカー４２が開口部４４を通しては見えないように取付マーカー４２は凹部３０の中心から間隔を置いて配置されている。したがって、取付マーカ４２は、ユーザが観察できる、フレーム１４へのレンズアセンブリ１８の適切な取り付けの視覚的に識別可能な確認を提供する。
【００４７】
図１５に、図１３のアセンブルされた形態における装置１０の斜視図を示す。図１３の装置１０の背面図を図１６に示し、図１３の装置１０の第１の側面図を図１７に示す。
【００４８】
図１８に示されているのは、図１３の装置１０の底面図であり、その反対側が図１９の上面図に示されている。
【００４９】
本明細書におけるレンズフレームおよび交換可能なアイウェアシステムのすべての基本的な特性および特徴をその特定の実施形態を参照して本明細書に示して説明したが、前述の開示では、記載された本発明の範囲から逸脱することなく、修正の許容範囲、さまざまな変更および代替が意図されており、いくつかの例では、本発明のいくつかの特徴は、他の特徴の対応する使用なしに採用され得ることは明らかである。この開示を読み、本明細書に開示された新規で有用な交換可能なアイウェアシステムを理解すると、当業者によって本発明の精神または範囲から逸脱せずに様々な置換、修正、および変更が行われ、行われ得ることが理解される。したがって、当業者が想定可能なすべてのそのような修正および変形および置換は、以下の特許請求の範囲によって定義される本明細書の引込み留め具の発明の範囲内に含まれると考えられる。
【図１】
2021500635.tif 000003
【図２】
2021500635.tif 000004
【図３】
2021500635.tif 000005
【図４】
2021500635.tif 000006
【図５】
2021500635.tif 000007
【図６】
2021500635.tif 000008
【図７】
2021500635.tif 000009
【図８】
2021500635.tif 000010
【図９】
2021500635.tif 000011
【図１０】
2021500635.tif 000012
【図１１】
2021500635.tif 000013
【図１２】
2021500635.tif 000014
【図１３】
2021500635.tif 000015
【図１４】
2021500635.tif 000016
【図１５】
2021500635.tif 000017
【図１６】
2021500635.tif 000018
【図１７】
2021500635.tif 000019
【図１８】
2021500635.tif 000020
【図１９】
2021500635.tif 000021
【国際調査報告】
2021500635.tif 000022